(57)【要約】【課題】  太陽光発電機形状に、球体：三角錐体・六面体・円推体・円柱等の多面体枠内にソーラーセルを、並置させた発電機システムを提供する。【構成】  球体の球体枠内に、ソーラーセルを並置させた球体発電機システムを、一本の支柱の上端にジョイントを介して装着した構造となっている。【選択図】  図１
2009170749.tif 000002
【特許請求の範囲】
【請求項１】
球体、たまの形の枠内にソーラーセルを並置させた球体を有する球体発電機。
【請求項２】
前記球体発電システムにおいて、一本の支柱を立設し、上端にジョイントを介して装着した構造を特徴とする請求項１記載の球体発電機システム。
【請求項３】
前記球体発電機システムにおいて、立設する支柱を伸び縮みさせる構造を特徴とする請求項１記載の球体発電機。
【請求項４】
前記球体発電機システムにおいて、吊り下げさせる構造を特徴とする請求項記載の球体発電機。
【請求項５】
前記球体発電機システムにおいて、地面に置き敷きさせる構造を特徴とする請求項１記載の球体発電機。
【請求項６】
三角錐体、先のとがった角錐枠内にソーラーセルを並置させた請求項２．３．４．５記載の三角錐発電機。
【請求項７】
六面体、立方体・直方体枠内にソーラーセルを並置させた請求項２．３．４．５記載の六面体発電機。
【請求項８】
円錐体、先のとがった円錐枠内にソーラーセルを並置させた請求項２．３．４．５記載の円錐体発電機。
【請求項９】
円柱、底面が円である柱体にソーラーセルを並置させた請求項２．３．４．５．記載の円柱発電機。
【発明の詳細な説明】
【技術分野】
【０００１】
本発明はソーラー発電機システムに関するものであり、形状の球体・三角錐体・六面体・円錐体・円柱等の多面体枠内にソーラーセルを並置させた発電機、いわゆるソーラー発電機システムに関する。
【背景技術】
【０００２】
平面形状にソーラーセルを並置させた構造を、屋根又は建物屋上に方位南面に設置されたソーラー発電機システムである。
【０００３】
平面形状にソーラーセルを並置させた構造で、土地斜面を利用した方位南面に設置された実施例、大阪府万博記念公園がある。
【０００４】
平面形状にソーラーセルを並置させた構造を、支柱の上端に方位南面に設置された照明灯ソーラー発電機である。
【特許文献１】特開2001-217447
【特許文献２】特開2005-294787
【発明の開示】
【発明が解決しようとする課題】
【０００５】
本発明発電機システムは、形状の球体：三角錐体・六面体・円錐体・円柱等の多面体枠内にソーラーセルを並置させた構造体は、太陽光を日の出から日没まで最大限に取得できる。
【課題を解決するための手段】
【０００６】
本発明球体発電機システムは、ソーラーセルを枠内に並置させることで、太陽光を最大限に取得できる。
【０００７】
上記発電機システムは、一本の支柱を立設、支柱の上端にジョイントを介して装着することで完成する。
【０００８】
上記発電機システムは、立設する支柱の構造を伸び縮みさせることで、四季、春夏秋冬の太陽の位置によって、樹木・工場・家屋の太陽光が影にならないように調節ができる。
【０００９】
上記発電機システムは、支柱の構造を伸び縮みさせることで、暴風雨・台風・雷等々に保守の確保ができる。
【００１０】
上記発電機システムは、一本の支柱で山頂に立設することで太陽光を日の出から日没まで有効に取得できるので、山間集落の電力確保ができる。
【００１１】
上記発電機システムを一般家庭の軒先に吊り下げることで、電力が簡単に得られる。
【００１２】
上記発電機システムは、地面に置き敷きできるので、太陽光があれば電力が簡単に得られる。
【００１３】
本発明三角錐体発電機システムは、ソーラーセルを枠内に並置させることで、太陽光を最大限に取得できる。
【００１４】
上記発電機システムは、一本の支柱を立設、支柱の上端に装着することで完成する。
【００１５】
上記発電機システムは、立設する支柱の構造を伸縮みさせることで、四季、春夏秋冬の太陽の位置によって樹木・工場・家屋の太陽光が影にならないように調節ができる。
【００１６】
上記発電機システムは、支柱の構造を伸び縮みさせることで、暴風雨・台風・雷等々に保守の確保ができる
上記発電機システムは、一本の支柱で山頂に立設することで、太陽光を日の出から日没まで、有効に取得できるので、山間集落の電力確保ができる。
【００１７】
上記発電機システムを、一般家庭の軒先に吊り下げることで、電力が簡単に得られる。
【００１８】
上記発電機システムは、地面に置き敷きできるので、太陽光があれば電力が簡単に得られる。
【００１９】
本発明立方体発電機システムは、ソーラーセルを球体枠内に並置させることで、太陽光を最大限に取得できる。
【００２０】
上記発電機システムは、一本の支柱を立設、支柱の上端に装着することで完成する。
【００２１】
上記発電機システムは、立設する支柱の構造を伸び縮みさせることで、四季、春夏秋冬の太陽の位置によって、樹木・工場・家屋の太陽光が影にならないように調節できる。
【００２２】
上記発電機システムは、支柱の構造を伸び縮みさせることで、暴風雨・台風・雷等々に保守の確保ができる。
【００２３】
上記発電機システムは、一本の支柱で山頂に立設することで、太陽光を日の出から日没まで有効に取得できるので、山間集落の電力確保ができる。
【００２４】
上記発電機システムを、一般家庭の軒先に吊り下げることで、電力が簡単に得られる。
【００２５】
上記発電機システムは、地面に置き敷きできるので、太陽光があれば電力が簡単に得られる。
【００２６】
本発明円錐体発電機システムは、ソーラーセルを枠内に並置させることで、太陽光を最大限に取得できる。
【００２７】
上記発電機システムは、一本の支柱を立設、支柱の上端に装着することで完成する。
【００２８】
上記発電機システムは、立設する支柱の構造を伸び縮みさせることで、四季、春夏秋冬の太陽の位置によって、樹木・工場・家屋の太陽光が影にならないように調節できる。
【００２９】
上記発電機システムは、支柱の構造を伸び縮みさせることで、暴風雨・台風・雷等々に保守の確保ができる。
【００３０】
上記発電機システムは、一本の支柱で山頂に立設することで、太陽光を日の出から日没まで有効に取得できるので、山間集落の電力確保ができる。
【００３１】
上記発電機システムを、一般家庭の軒先に吊り下げることで、電力が簡単に得られる。
上記発電機システムは、地面に置き敷きできるので、太陽光があれば電力が簡単に得られる。  
【００３２】
本発明円柱発電機システムは、ソーラーセルを枠内に並置させることで、太陽光を最大限に取得できる。
【００３３】
上記発電機システムは、一本の支柱を立設、支柱の上端に装着することで完成する。
【００３４】
上記発電機システムは、立設する支柱の構造を伸び縮みさせることで、四季、春夏秋冬の太陽の位置によって、樹木・工場・家屋の太陽光が影にならないように調節できる。
【００３５】
上記発電機システムは、支柱の構造を伸び縮みさせることで、暴風雨・台風・雷等々に保守の確保ができる。
【００３６】
上記発電機システムは、一本の支柱で山頂に立設することで、太陽光を日の出から日没まで有効に取得できるので、山間集落の電力確保ができる。
【００３７】
上記発電機システムを、一般家庭の軒先に吊り下げることで、電力が簡単に得られる。
上記発電機システムは、地面に置き敷きできるので、太陽光があれば電力が簡単に得られる。
【発明の効果】
【００３８】
本発明によれば、形状の球体、三角錐体・六面体・円錐体・円柱等の多面体枠内にソーラーセルを並置させることで、太陽光を日の出から日没まで、満遍なく得ることができる。
【００３９】
本発明に、一本の支柱を立設、支柱の上端のジョイントを介し装着することで、地上にて簡単に設置ができる。
【００４０】
本発明は、支柱の構造を伸び縮みさせることで、四季、春夏秋冬において太陽光が有効に取得できる。
【００４１】
上記支柱の構造を、伸び縮みすることで、災害の暴風雨・台風・雷等の保守が簡単にできる。
【００４２】
本発明は、山頂に簡単に設置ができるので、集落ごとで電力確保が容易にできる。
【００４３】
本発明は、太陽光があれば電力が得られるので、照明灯に使用できる。
【００４４】
本発明は、太陽光があれば電力が得られるので、野外活動に使用できる。
【発明を実施するための最良の形態】
【００４５】
本発明の形態を、図面に基づいて詳しく説明する。
【実施例１】
【００４６】
図１．Ａは本発明球体発電機システムで、たまの形にソーラーセルを球体枠内に並置し実施を示した透視図であり、Ｂは一本の支柱を立設、支柱の上端にジョイントを介して装着した斜視図である。Ｃは地面に置き敷きさせた斜視図で、Ｄはワイヤーで吊り下げた斜視図である。
【実施例２】
【００４７】
図２．Ａは本発明三角錐体発電機システムで、先のとがった角錐にソーラーセルを角錐枠内に並置し実施を示した透視図であり、Ｂは一本の支柱を立設、支柱の上端にジョイントを介して装着した斜視図である。Ｃは地面に置き敷きさせた斜視図で、Ｄはワイヤーで吊り下げた斜視図である。
【実施例３】
【００４８】
図３．Ａは本発明六面体発電機システムで、立方体・直方体の枠内に、ソーラーセルを並置し実施を示した透視図であり、Ｂは一本の支柱を立設、支柱の上端にジョイントを介して装着した斜視図である。Ｃは地面に置き敷きさせた斜視図で、Ｄはワイヤーで吊り下げた斜視図である。
【実施例４】
【００４９】
図４．Ａは本発明円錐体発電機システムで、先のとがった円錐体の枠内にソーラーセルを並置し実施を示した透視図であり、Ｂは一本の支柱を立設、支柱の上端にジョイントを介して装着した斜視図である。Ｃは地面に置き敷きさせた斜視図で、Ｄはワイヤーで吊り下げた斜視図である。
【実施例５】
【００５０】
図５．Ａは本発明円柱発電システムで、底面が円である柱体の枠内に、ソーラーセルを並置し実施を示した透視図であり、Ｂは一本の支柱を立設、支柱の上端にジョイントを介して装着した斜視図である。Ｃは地面に置き敷きさせた斜視図で、Ｄはワイヤーで吊り下げた斜視図である。
【図面の簡単な説明】
【００５１】
【図１】本発明球体発電機システムのソーラーセルを、枠内に並置させた透視図Ａであり、支柱の上端に装着したＢ、地面に置き敷きさせたＣ、吊り下げたＤは斜視図である。
【図２】本発明直方体発電機システムのソーラーセルを、枠内に併置させた透視図Ａであり、支柱の上端に装着したＢ、地面に置き敷きさせたＣ、吊り下げたＤは斜視図である。
【図３】本発明三角錐体発電機システムのソーラーセルを、枠内に併置させた透視図Ａであり、支柱の上端に装着したＢ、地面に置き敷きさせたＣ、吊り下げたＤは斜視図である。
【図４】本発明円錐体発電機システムのソーラーセルを、枠内に併置させた透視図Ａであり、支柱の上端に装着したＢ、地面に置き敷きさせたＣ、吊り下げたＤは斜視図である。
【図５】本発明円柱発電機システムのソーラーセルを、枠内に併置させた透視図Ａであり、支柱の上端に装着したＢ、地面に置き敷きさせたＣ、吊り下げたＤは斜視図である。
【符号の説明】
【００５２】
Ａ：透視図
Ｂ：斜視図
Ｃ：斜視図
Ｄ：斜視図
１：発電機本体
２：ソーラーセル
３：支柱
４：ワイヤー
５：地面
６：ジョイント
【図１】
2009170749.tif 000003
【図２】
2009170749.tif 000004
【図３】
2009170749.tif 000005
【図４】
2009170749.tif 000006
【図５】
2009170749.tif 000007